(57)【要約】【課題】  読み取りレーザーの光を遮ることなく、裸視によって読み取れる、記録された内容やディスクの区別のための表示を印刷等で可能にする貼り合せ型光ディスクを提供する。【解決手段】  貼り合わせる情報基盤２１ａ、２１ｂには、情報記録された情報面２２ａ、２２ｂ、読み取りレーザー光を反射する反射膜２３ａ、２３ｂを設け、情報基盤２１ａ側には反射膜２３ａの反射面を保護する保護膜層２４を設け、その上に記録された内容やディスクの区別のための印刷による表示層２５を設ける。情報基盤２１ｂの反射膜２３ｂは、読み取りレーザー光の波長は読み取りに充分な光量を反射するが、読み取りレーザー光の波長より短くて裸視で見える波長領域の光については、裸視で表示層２５の表示を認識するのに充分な光が透過するような金属薄膜（銀の薄膜）をもって構成する。【選択図】        図３
2006302327.tif 000002
【特許請求の範囲】
【請求項１】
記録情報の読み取り面が貼り合わせ後の双方の基盤にある貼り合せ型光ディスクにおいて、前記記録情報を前記いずれかの基盤の透明部分を通して読み取り、前記情報面の一方または両方には反射膜を有し、該反射膜は、ディスク情報を読み取るレーザー光においては充分な反射特性を持ち、読み取りレーザー光の波長より短い波長であって、可視できる光の波長領域では裸視で判別できるほどの透過特性を持ち、該反射膜の厚み方向のディスク中心側に、記録された内容表示やディスク区別用の表示層を設けてなることを特徴とする貼り合せ型光ディスク。
【請求項２】
請求項１記載の貼り合せ型光ディスクにおいて、前記反射膜が金属薄膜からなることを特徴とする貼り合せ型光ディスク。
【請求項３】
請求項２記載の貼り合せ型光ディスクにおいて、前記反射膜が銀または銀合金の薄膜からなることを特徴とする貼り合せ型光ディスク。
【請求項４】
請求項３記載の貼り合せ型光ディスクにおいて、前記銀合金が、銀と少量のパラジウム、銅、ネオジウム、金、ビスマス等の合金であることを特徴とする貼り合せ型光ディスク。
【請求項５】
請求項１から４のいずれかに記載の貼り合せ型光ディスクにおいて、貼りあわせるディスクの各々に前記特性の反射膜を設け、該反射膜の厚み方向のディスク中心側に、各々前記表示層を設けてなることを特徴とする貼り合せ型光ディスク。
【請求項６】
請求項１から５のいずれかに記載の貼り合せ型光ディスクにおいて、前記表示層に、裸視で識別できる光のうち波長約３８０ｎｍから６００ｎｍの光を反射、吸収するようなインクによって背景印刷とコントラストが充分であるような絵柄を設けてなることを特徴とする貼り合せ型光ディスク。
【請求項７】
前記請求項１から５のいずれかに記載の貼り合せ型光ディスクにおいて、前記基盤の一方がＣＤ記録を持った基盤であり、他方がＤＶＤ記録を持った基盤であることを特徴とする貼り合せ型光ディスク。
【請求項８】
前記請求項６に記載の貼り合せ型光ディスクにおいて、前記ＣＤ記録を持った基盤の前記反射膜は可視光波長をほぼすべて反射するものであることを特徴とする貼り合せ型光ディスク。
【請求項９】
前記請求項６に記載の貼り合せ型光ディスクにおいて、前記ＤＶＤ記録を持った基盤の前記反射膜は可視光波長をすべて反射するものであることを特徴とする貼り合せ型光ディスク。
【発明の詳細な説明】
【技術分野】
【０００１】
本発明はＤＶＤディスクその他の光ディスクの構造に関し、詳細には両面再生を行える貼り合わせ型光ディスクの構造に関する。
【背景技術】
【０００２】
図１は両面再生型貼りあわせディスクの一種である両面再生ＤＶＤディスクの断面の一般的構造を示す。情報が記録された厚さがほぼ０．６ｍｍの情報基盤１１ａには、小さなくぼみによって情報が記録された情報面１２ａを持ち、さらに、読み取りレーザー光（図示せず）を反射するための反射膜１３ａを有する。
【０００３】
反射膜１３ａには、読取レーザー光を良好に反射するように金属薄膜を用いる。この金属薄膜の反射特性は、図６に一例を示すように、読取レーザーの波長６３５ｎｍから６５０ｎｍを含み、可視光波長全域にわたってほぼ一定な反射特性を持つもので、例えばアルミで構成した薄膜が多く用いられている。また透過率特性は、図７に示すようなもので、可視光領域全域にわたってほぼ０％の透過率を持つものが用いられる。そして、前記の情報面と反射膜を持つ他の一つの情報基盤１１ｂ（符号１１ｂがその情報面、１３ｂが反射膜である）を、各々の反射膜（１３ａ、１３ｂ）側を向かい合わせにして接着層１４によって接着し、一つの両面再生型ディスクを構成する。
【０００４】
図２は、両面再生型ディスクの一般的な平面図を示す。再生型の光ディスクは、使用者が取り扱う上での利便性を考慮し、記録された内容やディスクの区別のための表示を必要とするが、読取レーザー光を遮らないようにする必要があるため、ディスクを再生機（図示せず）でクランプする部分１と、情報記録が始まるディスク内周部２との隙間３に、片面側あるいは両面側に印刷する等して設けて表示している。
【０００５】
ところが、ＤＶＤディスクの規格によると、クランプ部分１の直径が３３．０ｍｍであり、また情報記録が始まるディスク内周部２は４５．２ｍｍと規定されているため、前記の隙間３部分の幅、すなわち記録されている内容やディスク区別のための表示の幅は、最大で６．１ｍｍのリング状エリアに限定されている。
【０００６】
したがって、情報読取面の反対側に表示を施すことで、ほぼディスク全面に表示することが可能な片面再生型のＤＶＤやＣＤに比べ、両面再生型ディスクは表示に使用できる面積が著しく狭く、記録されている内容の表示はきわめて不十分なものにならざるを得ず、使用者にとってディスク内容の把握や区別に著しく不便であった。
【特許文献１】特開２００４−２１３７５６
【特許文献２】特開２００４−２１３７３８
【発明の開示】
【発明が解決しようとする課題】
【０００７】
すなわち貼り合わせ型両面再生ディスクにおいて、記録してある内容を使用者が記録してあるデータを再生機で再生することなくその概要を知るための裸視あるいは肉眼で読み取れる表示を、ディスク表面のデータが記録されている領域に印刷または表示することは、読み取りレーザーを前記印刷によって遮蔽するためにできず、前記を目的とする印刷または表示は、データが記録してある範囲外に施さねばならず、容量の大きなデータが記録してある場合には、ディスクの最内周部にある再生機のディスクを回転させるときの保持部分の外側に、幅の狭いリング状にして印刷する以外の方法がなく、使用者にとっては、ディスク記録内容の把握、ディスクの管理に大きな障害となっている。
【０００８】
以上の点にかんがみ、本発明は、記録されている情報エリアと同一エリアに読み取りレーザーの光を遮ることなく、裸視によって読み取れる、記録された内容やディスクの区別のための表示を印刷等で可能にする貼り合せ型光ディスクを提供することを目的とする。
【課題を解決するための手段】
【０００９】
本発明の請求項１に係る貼り合せ型光ディスクは、記録情報の読み取り面が貼り合わせ後の双方の基盤にある貼り合せ型光ディスクにおいて、前記記録情報を前記いずれかの基盤の透明部分を通して読み取り、前記情報面の一方または両方には反射膜を有し、該反射膜は、ディスク情報を読み取るレーザー光においては充分な反射特性を持ち、読み取りレーザー光の波長より短い波長であって、可視できる光の波長領域では裸視で判別できるほどの透過特性を持ち、該反射膜の厚み方向のディスク中心側に、記録された内容表示やディスク区別用の表示層を設けてなることを特徴とする。
【００１０】
同じく請求項２に係る貼り合せ型光ディスクは、請求項１記載の貼り合せ型光ディスクにおいて、前記反射膜が金属薄膜からなることを特徴とする。
【００１１】
同請求項３に係る貼り合せ型光ディスクは、請求項２記載の貼り合せ型光ディスクにおいて、前記反射膜が銀または銀合金の薄膜からなることを特徴とする。
【００１２】
同請求項４に係る貼り合せ型光ディスクは、請求項３記載の貼り合せ型光ディスクにおいて、前記銀合金が、銀と少量のパラジウム、銅、ネオジウム、金、ビスマス等の合金であることを特徴とする。
【００１３】
同請求項５に係る貼り合せ型光ディスクは、請求項１から４のいずれかに記載の貼り合せ型光ディスクにおいて、貼りあわせるディスクの各々に前記特性の反射膜を設け、該反射膜の厚み方向のディスク中心側に、各々前記表示層を設けてなることを特徴とする。
【００１４】
同請求項６に係る貼り合せ型光ディスクは、請求項１から５のいずれかに記載の貼り合せ型光ディスクにおいて、前記表示層に、裸視で識別できる光のうち波長約３８０ｎｍから６００ｎｍの光を反射、吸収するようなインクによって背景印刷とコントラストが充分であるような絵柄を設けてなることを特徴とする。
【００１５】
同請求項６に係る貼り合せ型光ディスクは、前記請求項１から５のいずれかに記載の貼り合せ型光ディスクにおいて、前記基盤の一方がＣＤ記録を持った基盤であり、他方がＤＶＤ記録を持った基盤であることを特徴とする。
【００１６】
同請求項７に係る貼り合せ型光ディスクは、前記請求項６に記載の貼り合せ型光ディスクにおいて、前記ＣＤ記録を持った基盤の前記反射膜は可視光波長をほぼすべて反射するものであることを特徴とする。
【００１７】
同請求項８に係る貼り合せ型光ディスクは、前記請求項６に記載の貼り合せ型光ディスクにおいて、前記ＤＶＤ記録を持った基盤の前記反射膜は可視光波長をすべて反射するものであることを特徴とする。
【発明の効果】
【００１８】
以上のように本発明によれば、情報が記録された面に読み取りレーザー光をさえぎることなく記録された内容やディスク区別のための表示を設けることができ、使用者の利便性、美術的価値を高め得る両面再生貼りあわせ型光ディスクを提供することができる。
【発明を実施するための最良の形態】
【００１９】
以下本発明を実施するための最良の形態を、図に示す実施例を参照して説明する。
【実施例１】
【００２０】
図３は本発明に係る貼り合せ型光ディスクの一実施例を示し、一方の情報基盤２１ａには小さなくぼみによって情報記録された情報面２２ａを持ち、読み取りレーザー光（図示せず）を反射するための反射膜２３ａを有する。反射膜２３ａの反射面にはさらに、反射面を強度的に保護するための保護膜層２４を設け、その上に記録された内容やディスクの区別のための印刷による表示層２５を設けてある。
【００２１】
情報基盤２１ａに貼り合せる他の情報基盤２１ｂも、同じく小さなくぼみによって情報記録された情報面２２ｂを持ち、読み取りレーザー光（図示せず）を反射するための反射膜２３ｂを有する。反射膜２３ｂは、読み取りレーザー光の波長は読み取りに充分な光量を反射するが、読み取りレーザー光の波長より短くて裸視で見える波長領域の光については、裸視で表示層２５の表示を認識するのに充分な光が透過するような金属薄膜、例えば銀の薄膜をもって構成する。反射膜２３ｂを構成する材料としては、銀と少量のＰｄ（パラジウム）、Ｃｕ（銅）、Ｎｄ（ネオジウム）、Ａｕ（金）、Ｂｉ（ビスマス）などの合金とし、耐食性を向上させたものも採用できる。図中２６が情報基盤２１ａ、２１ｂを貼り合わせるための接着層である。
【００２２】
反射膜２３ｂの材質に銀を使った場合、図４に示すように、ＤＶＤの読み取りレーザーの波長（６３５ｎｍから６５０ｎｍ）についてはデータ読み取りに充分な反射率を持ち、また透過率は、図５に示す一例のような特性を持つ。裸視で識別できる光の波長は、約３８０ｎｍから７８０ｎｍなので、反射膜２３ｂを通して表示層２５の表示内容を裸視によって充分判読できる。
【００２３】
波長３８０ｎｍから６００ｎｍの光を反射、吸収するようなインクによって背景印刷とコントラストが充分であるような絵柄とすることによって、さらに判読が容易にできるようにすることも可能である。
【００２４】
したがって、充分な広さを持った記録された内容やディスク区別のための表示を行うことができ、使用者のディスク取り扱いの利便と美術的な価値を持ち合わせた両面再生型貼りあわせディスクを構成できる。貼りあわせるディスクの各々に前記特性の反射膜を設け、各々の面に表示を行えば、各々の面から異なる表示を見ることができる。
【００２５】
ディスク情報基盤の組み合わせは、ＤＶＤに限られないので、本発明は、ＣＤ記録を持った基盤と、ＤＶＤ記録を持った基盤との貼り合わせ型ディスクにも適用可能である。この場合、ＣＤ情報基盤の反射膜はほぼ可視光波長をすべて反射するものであって、ＤＶＤ情報基盤の反射膜のみに前記特性を持つ反射膜を施しても良い。あるいは、ＤＶＤ情報基盤側に可視光波長をすべて反射するような反射膜を用い、ＣＤ情報基盤に前記反射膜を用いても良い。
【００２６】
既述のように反射膜の材質は、銀あるいは銀合金である必要はなく、図４、図５で示したような波長選択性を持ち、読み取りレーザー光を反射し、それより短い波長を透過する特性を持ったものであれば良い。
【図面の簡単な説明】
【００２７】
【図１】両面再生ＤＶＤディスクの断面の一般的構造の断面図
【図２】両面再生型ディスクの一般的な平面図
【図３】本発明による両面再生型ディスクの断面図
【図４】銀薄膜の波長−反射率特性の一例を示す図
【図５】銀薄膜の波長−透過率特性の一例を示す図
【図６】アルミ薄膜の波長−反射率を示す図
【図７】アルミ薄膜の波長−透過率特性の一例を示す図
【符号の説明】
【００２８】
１：ディスクのクランプ部分
２：ディスクの内周部
３：隙間
１１ａ、１１ｂ：情報基盤
１２ａ、１２ｂ：情報面
１３ａ、１３ｂ：反射膜
１４：接着層
２１ａ、２１ｂ：情報基盤
２２ａ、２２ｂ：情報面
２３ａ、２３ｂ：反射膜
２４：保護膜層
２５：表示層
２６：接着層
【図１】
2006302327.tif 000003
【図２】
2006302327.tif 000004
【図３】
2006302327.tif 000005
【図４】
2006302327.tif 000006
【図５】
2006302327.tif 000007
【図６】
2006302327.tif 000008
【図７】
2006302327.tif 000009
【手続補正書】
【提出日】平成17年4月22日(2005.4.22)
【手続補正１】
【補正対象書類名】図面
【補正対象項目名】図１
【補正方法】変更
【補正の内容】
【図１】
2006302327.tif 000010
【手続補正２】
【補正対象書類名】図面
【補正対象項目名】図３
【補正方法】変更
【補正の内容】
【図３】
2006302327.tif 000011
【手続補正書】
【提出日】平成17年4月25日(2005.4.25)
【手続補正１】
【補正対象書類名】明細書
【補正対象項目名】０００３
【補正方法】変更
【補正の内容】
【０００３】
反射膜１３ａには、読取レーザー光を良好に反射するように金属薄膜を用いる。この金属薄膜の反射特性は、図６に一例を示すように、読取レーザーの波長６３５ｎｍから６５０ｎｍを含み、可視光波長全域にわたってほぼ一定な反射特性を持つもので、例えばアルミで構成した薄膜が多く用いられている。また透過率特性は、図７に示すようなもので、可視光領域全域にわたってほぼ０％の透過率を持つものが用いられる。そして、前記の情報面と反射膜を持つ他の一つの情報基盤１１ｂ（符号１２ｂがその情報面、１３ｂが反射膜である）を、各々の反射膜（１３ａ、１３ｂ）側を向かい合わせにして接着層１４によって接着し、一つの両面再生型ディスクを構成する。
【手続補正２】
【補正対象書類名】図面
【補正対象項目名】図２
【補正方法】変更
【補正の内容】
【図２】
2006302327.tif 000012